(57)【要約】【課題】本発明は、除湿板の端面にリントが引っ掛ることなく、泡消去が良好に保たれる洗濯乾燥機を提供することを目的とする。【解決手段】除湿手段は、縦に延在する板状の除湿板と、除湿板の片側面側に沿うように泡消水を噴霧するノズルを有し、除湿板は、除湿板を伝わって上昇して来る泡を泡消水の噴霧されている除湿板面側に流出させる泡流穴を有する。【選択図】図６
2008012120.tif 000002
【特許請求の範囲】
【請求項１】
洗濯水や濯ぎ水が溜まる外槽と、
洗濯物を収納し、前記外槽に回転自在に内置される内槽と、
前記外槽や前記内槽に流れ込み、前記内槽内の洗濯物を乾かして前記外槽から流出する乾燥用空気を流通させる乾燥用空気循環路と、
前記乾燥用空気循環路に設けられ、前記外槽から流れ出て来た乾燥用空気より水分を奪取する水冷式の除湿手段と、
前記乾燥用空気循環路に設けられる除湿用縦通路と、
前記除湿用縦通路の下端に設けられ、前記外槽の底部に連通する通風流入口とを有し、
前記除湿用縦通路の内部に前記除湿手段を備える洗濯乾燥機において、
前記除湿手段は、縦に延在する板状の除湿板と、前記除湿板の片側面側に沿うように泡消水を噴霧するノズルを有し、
前記除湿板は、除湿板を伝わって上昇して来る泡を泡消水の噴霧されている除湿板面側に流出させる泡流穴を有することを特徴とする洗濯乾燥機。
【請求項２】
請求項１記載の洗濯乾燥機において、
前記泡流穴は、前記ノズルよりも下方に位置することを特徴とする洗濯乾燥機。
【請求項３】
請求項１記載の洗濯乾燥機において、
前記除湿板は、一方の除湿板面側より突出する多数の冷却フィンを有し、
前記冷却フィンが存在する方に前記ノズルの噴射方向を向けたことを特徴とする洗濯乾燥機。
【請求項４】
請求項１記載の洗濯乾燥機において、
洗濯水や濯ぎ水を前記外槽の底部側より吸い上げて前記内槽に注ぐ循環ポンプを有し、
前記ノズルから噴射される泡消水が前記循環ポンプより供給されることを特徴とする洗濯乾燥機。
【請求項５】
請求項１記載の洗濯乾燥機において、
前記除湿板の下端は、前記通風流入口よりも上側に位置し、
前記除湿用縦通路を下から上に向かって流れる前記乾燥用空気は、前記除湿板の両面に分かれて流れることを特徴とする洗濯乾燥機。
【請求項６】
請求項５記載の洗濯乾燥機において、
前記通風流入口と前記ノズルは、前記除湿板を挟んで振り分けるように配置されることを特徴とする洗濯乾燥機。
【発明の詳細な説明】
【技術分野】
【０００１】
本発明は、洗濯から乾燥まで通して行える洗濯乾燥機に関するものである。
【背景技術】
【０００２】
洗濯から乾燥まで通して行える洗濯乾燥機は、乾燥用の除湿手段として水冷式のものが多く見られる。
【０００３】
この方式の洗濯乾燥機は、乾燥用空気が除湿手段を通して循環させ、同時にその除湿手段を通された空気をヒータにより熱して温風化する。その除湿手段には除湿用の水を供給することにより、内槽内の洗濯物から湿気を奪って内槽内から出た温風を水冷方式にて除湿するものであり、比較的簡単な構成で、効率の良い除湿ができる利点を有している。
【０００４】
この種の洗濯乾燥機は、例えば、特開２００６−６６７６号公報（特許文献１）に記載されている。
【０００５】
【特許文献１】特開２００６−６６７６号公報
【発明の開示】
【発明が解決しようとする課題】
【０００６】
洗濯乾燥機は、洗濯運転中に発生する泡が乾燥用空気循環路に流入し、乾燥用空気循環路に支障を来す。この弊害を解消するために、泡の消去を行うようにしている。
【０００７】
泡消去は、乾燥用空気循環路の除湿用縦通路に備わる除湿板にノズルより噴射する泡消水をかけて行っている。
【０００８】
除湿板は薄板状で、この薄板の端面にノズルがむけられているので、泡消水（洗濯水を利用）に含まれるリントが除湿板の端面に引っ掛かり増える。この増えたリントに当たって泡消水は飛散してしまうので、除湿板に伝わって上って来る泡の消去が難しくなる。
【０００９】
本発明は、上記の問題に鑑み、除湿板の端面にリントが引っ掛ることなく、泡消去が良好に保たれる洗濯乾燥機を提供することを目的とする。
【課題を解決するための手段】
【００１０】
本発明は、洗濯水や濯ぎ水が溜まる外槽と、洗濯物を収納し、前記外槽に回転自在に内置される内槽と、前記外槽や前記内槽に流れ込み、前記内槽内の洗濯物を乾かして前記外槽から流出する乾燥用空気を流通させる乾燥用空気循環路と、前記乾燥用空気循環路に設けられ、前記外槽から流れ出て来た乾燥用空気より水分を奪取する水冷式の除湿手段と、前記乾燥用空気循環路に設けられる除湿用縦通路と、前記除湿用縦通路の下端に設けられ、前記外槽の底部に連通する通風流入口とを有し、前記除湿用縦通路の内部に前記除湿手段を備える洗濯乾燥機において、前記除湿手段は、縦に延在する板状の除湿板と、前記除湿板の片側面側に沿うように泡消水を噴霧するノズルを有し、前記除湿板は、除湿板を伝わって上昇して来る泡を泡消水の噴霧されている除湿板面側に流出させる泡流穴を有することを特徴とする。
【発明の効果】
【００１１】
本発明によれば、除湿板の端面にリントが引っ掛ることがなく、泡消去が良好に保たれる洗濯乾燥機を提供することができる。
【発明を実施するための最良の形態】
【００１２】
本発明の実施例について、図１〜図６を引用して説明する。
【００１３】
まず、図１を引用し、洗濯乾燥機の概要について説明する。
【００１４】
洗濯乾燥機の外枠１は、洗濯水を内置する外槽２を内置する。外槽２は外枠１に防振支持される。洗浄したり、乾燥したりされる洗濯物を収納する洗濯脱水槽（内槽）３は、外槽２内に回転自在に支持される。
【００１５】
洗濯物を撹拌して洗う撹拌翼４は、内槽３に回動自在に内置される。洗濯運転時、および乾燥運転時には、撹拌翼４は正転／逆転が繰り返される。脱水運転時には、撹拌翼４は内槽３と一緒に高速回転し、内槽３内の洗濯物に含まれる水分が脱水される。
【００１６】
洗濯乾燥用駆動モータ１０は、撹拌翼４、および内槽３の回転駆動を行う。洗濯乾燥用駆動モータ１０は、ＤＣブラシレスモータを使用する。
【００１７】
外蓋５は外枠１の上部に備わるトップカバー６に開閉自在に設けられ、外蓋５を開いて内槽３内に洗濯物の出し入れを行う。
【００１８】
トップカバー６は、前側に給水ボックス７を有する。給水ボックス７は、水道水，風呂水，洗剤，ソフナー等を外槽２に供給する。給水ボックス７の落し口は、外槽２と内槽３の間に向けられている。
【００１９】
給水切替ユニット（図示せず）はトップカバー６の後部に設けられる。給水切替ユニットに連通し、水道ホースが接続される水道ホース接続口８は、トップカバー６の上部に突出するように設けられる。風呂水を吸い上げる風呂水ポンプ（図示せず）もトップカバー６の後部に内置される。
【００２０】
乾燥機構９は、内槽３内の洗濯物を乾かす乾燥用空気の循環送風や除湿を行う。
【００２１】
この乾燥機構９は大部分が乾燥用空気循環路で占められる。
【００２２】
乾燥用空気循環路は、外槽２の底部に連通するように接続される底部循環路２０，底部循環路２０から上る除湿用縦通路２１，除湿用縦通路２１から下る降下循環路２２，降下循環路２２から再び上る上昇循環路２３，上昇循環路２３から横に這う戻り循環路２４，戻り循環路２４から外槽２の上部に連通するように接続される戻り接続循環路２５を有する。
【００２３】
底部循環路２０は、蛇腹ホース２６を有する。戻り接続循環路２５も蛇腹ホース２７を有する。除湿用縦通路２１は除湿板２８（除湿手段）を内置する。除湿板２８は除湿用縦通路２１内を縦に延びるように存在する。
【００２４】
この除湿板２８に供給する風呂水や水道水で除湿用縦通路２１を上昇する乾燥用空気が冷却し、乾燥用空気中に含まれる水分を奪取する。
【００２５】
循環ファン２９（送風手段）は、降下循環路２２，上昇循環路２３がつながる下部に設けられる。この循環ファン２９の送風により、乾燥用空気循環路を通じて乾燥用空気が内槽３内を流通し、内槽３内の洗濯物を乾かす。
【００２６】
ヒータ４０（加熱手段）は、戻り循環路２４に設けられる。除湿板２８で水分の抜けた乾燥用空気は、ヒータ４０で再加熱されて内槽３を流れるので、洗濯物の水分を除去する。この水分除去が乾燥用空気の循環で繰り替えされることにより、洗濯物は良く乾燥されるようになる。
【００２７】
底部循環路２０の底は、下部連通管４１を介して洗濯水排水路４２と洗濯水循環水路
４３に連通する。洗濯水排水路４２には、排水バルブ４４が設けられる。洗濯運転時や乾燥運転時には、この排水バルブ４４は閉じて置く。洗濯水を排水する排水時や乾燥運転時には、排水バルブ４４を開いて洗濯乾燥機の外部に排水する。
【００２８】
洗濯水循環水縦水路４６は、内槽３の上側まで延び、洗濯水循環水路４３に循環ポンプ４５を介して接続される。
【００２９】
外槽２に溜まる洗濯水や濯ぎ水は、循環ポンプ４５で吸い上げられ、洗濯水循環水縦水路４６の上側の排出口から内槽３に注がれる。この循環ポンプ４５による注水が続く下で、洗濯や濯ぎが行われるので、少ない水量で良く洗濯が行われる。
【００３０】
水位センサー４７は、外槽２に溜まる洗濯水や濯ぎ水の水位を検知する。
【００３１】
底部循環路２０の側部に連通するエアートラップ４８が設けられ、このエアートラップ４８と水位センサー４７がエアーチューブ４９で連通するようにつながる。外槽２内の水位変動を水位センサー４７が感じて水位検知が行われる。
【００３２】
次に図２〜図６を引用して乾燥用空気循環路、および前記除湿手段について説明を加える。
【００３３】
除湿用縦通路２１は、下端に通風流入口７０を有する。この通風流入口７０は底部循環路２０に連通している。除湿用縦通路２１内に備わる除湿板２８の下端は、図２，図４に示すように、前記通風流入口７０よりも上側に位置する。
【００３４】
乾燥リント除去手段７１は、除湿用縦通路２１の上端に備わる。この乾燥リント除去手段７１を介して除湿用縦通路２１と降下循環路２２は連通している。除湿用縦通路２１を流れる乾燥用空気に含まれるリントは乾燥リント除去手段７１で除去される。
【００３５】
除湿用縦通路２１の下流側になる降下循環路２２には、リントが除去された乾燥用空気が流通する。
【００３６】
除湿手段の除湿板２８は、図３〜図６に示すように片側に除湿板面側より突出する多数の冷却フィン７２を有する。除湿用縦通路２１を流れる乾燥用空気が、冷却水で冷やされている除湿板２８や冷却フィン７２に触れて冷やされ、乾燥用空気に含む水分が除去される。
【００３７】
除湿板２８は、図３に示すように、除湿用縦通路２１の中央に縦に置かれる。冷却フィン７２側が通風流入口７０の反対側になるように除湿板２８は置かれる。
【００３８】
通風流入口７０より流入する除湿用縦通路２１に流入する乾燥用空気は、除湿板２８の両面に分かれて流れる。乾燥用空気は、流れに勢いがあるので通風流入口７０の反対側
（冷却フィン７２が存在する側）に多く流れる傾向がある。
【００３９】
乾燥用空気が多く流れる方に冷却フィン７２が存在するので、除湿がより多く行われる。除湿手段は、泡消水を噴霧するノズル７３を有する。ノズル７３は、除湿板２８の上側位置に向くように設けられる。
【００４０】
このノズル７３と通風流入口７０は、除湿板２８を挟んで振り分けられるように配置されることになる。
【００４１】
ノズル７３は泡消水供給パイプ７４を介して図１に示す循環ポンプ４５の吐出側に連通している。循環ポンプ４５よりノズル７３に供給される泡消水は、洗濯水や濯ぎ水である。
【００４２】
洗濯運転や濯ぎ運転中に循環ポンプ４５は運転される。循環ポンプ４５の運転により、泡消水がノズル７３より噴射される。除湿板２８の冷却フィン７２側面を伝わって上る泡は、泡消水に消されて消滅し、ノズル７３より上方に泡は上らない。
【００４３】
泡流穴７５は、除湿板２８を貫いて形成される。泡流穴７５はノズル７３より下側に位置する。冷却フィン７２の反対側になる除湿板２８の側面を伝い上がる泡は、泡流穴７５から冷却フィン７２側面に流れ出てノズル７３より噴射される泡消水で消されて消滅する。
【００４４】
このように除湿板２８の両面を伝い上がる泡は泡消水で消され、ノズル７３よりも上側に泡が行かないので、泡による乾燥用空気循環路の弊害は解消される。
【００４５】
ノズル７３の噴射方向は、前述したように、冷却フィン７２が存在する方に向けられている。このため、従来のような除湿板の端面にリントが付いて泡消水による泡消しが難しくなる不具合は生じず、泡消去が良好に保たれる。
【００４６】
また、ノズル７３は冷却フィン７２が存在する方に向けるように設けられているので、泡消去がより良く行われる。
【００４７】
すなわち、撹拌翼４の撹拌作動により内槽３ないし外槽２で発生した泡は、底部循環路２０，通風流入口７０を経由して除湿用縦通路２１に流入する。除湿用縦通路２１に設けられる通風流入口７０は、冷却フィン７２の反対側に位置しているが、通風流入口７０の向きは冷却フィン７２が存在する方に向けられている。
【００４８】
このため、除湿板２８を伝い上がる泡は、冷却フィン７２が存在する方が多くなる傾向にある。泡が多く上がる冷却フィン７２が存在する方にノズル７３を設けたので、泡消去がより良く行われる。
【図面の簡単な説明】
【００４９】
【図１】本発明の実施例に係わるもので、洗濯乾燥機の概略を示す図である。
【図２】本発明の実施例に係わるもので、乾燥用空気循環路を示す図である。
【図３】本発明の実施例に係わるもので、図２のＡ−Ａ断面を示す図である。
【図４】本発明の実施例に係わるもので、図２のＢ−Ｂ断面を示す図である。
【図５】本発明の実施例に係わるもので、除湿手段の要部拡大正面図である。
【図６】本発明の実施例に係わるもので、除湿手段の要部拡大斜視図である。
【符号の説明】
【００５０】
２…外槽、３…内槽、２１…除湿用縦通路、７０…通風流入口、７３…ノズル、７５…泡流穴。
【図１】
2008012120.tif 000003
【図２】
2008012120.tif 000004
【図３】
2008012120.tif 000005
【図４】
2008012120.tif 000006
【図５】
2008012120.tif 000007
【図６】
2008012120.tif 000008